(57)【要約】【課題】    イカツノ投入器等の対象物から取り外しができ、大きさの異なる対象物に対応して取り付けることができる釣り針保持具を提供すること。【解決手段】  本願の釣り針保持具１は、釣り針保持部２とその左右両側に互いに係合可能な係止部３ａ、係合部４ａを有する止着ベルト３、４を有し、釣り針保持部２の表面にはイカヅノＩなどの釣り針等を保持可能なマット５が設けられ、マット５の裏面側には保形板６が釣り針保持部２の左右方向の中央側に位置するように添設されている。針保持具１の裏面側には網状部材７、８が配されている。【選択図】        図１
2010051223.tif 000002
【特許請求の範囲】
【請求項１】
釣り針保持部に止着ベルトを設け、前記釣り針保持部は表面に釣り針を係止可能な柔軟性を有するマットを有すると共に、前記マットの裏面側に前記マットより硬質の保形板を添設したことを特徴とする釣り針保持具。
【請求項２】
少なくとも釣り針保持部の裏面に網状部材を設けたことを特徴とする請求項１に記載の釣り針保持具。
【請求項３】
保形板は、マットより左右の長さを小さく形成したことを特徴とする請求項１または２に記載の釣り針保持具。
【発明の詳細な説明】
【技術分野】
【０００１】
本発明は、釣り針保持部に止着ベルトを設けた釣り針保持具に関する。
【背景技術】
【０００２】
従来からイカ釣り等において、イカ釣り仕掛けに取り付けたイカヅノを係止しておくために釣り針保持具が使用されている。
特許文献１には、釣り針保持具がイカ釣り仕掛けを海中に投入するために使用する複数のパイプを並列させたイカツノ投入器に取り付けた例が記載されている。
【０００３】
しかしながら、従来の釣り針保持具では、複数のパイプを並列させた状態で保持する挟着板にイカヅノを保持するスポンジゴムを取り付けてイカヅノ投入器に固定されているためイカヅノ投入器から取り外すことができないという欠点があった。
【０００４】
また、釣り場の状況に応じてイカヅノ投入器のパイプの数を変えたり、様々な大きさのイカツノ投入器に対応して取り付けることが難しかった。
【特許文献１】実開平６−４６４７４号公報
【発明の開示】
【発明が解決しようとする課題】
【０００５】
解決しようとする課題は、従来の釣り針保持具は、イカヅノ投入器等の対象物に固定されて取り外しができず、他の大きさの対象物に対応して取り付けることが難しいことである。
【０００６】
本発明の目的は前記欠点に鑑み、イカツノ投入器等の対象物から取り外しができ、大きさの異なる対象物に対応して取り付けることができる釣り針保持具を提供することである。
【課題を解決するための手段】
【０００７】
上記課題を解決するために、
請求項１に係わる本発明は、釣り針保持部に止着ベルトを設け、前記釣り針保持部は表面に釣り針を係止可能な柔軟性を有するマットを有すると共に、前記マットの裏面側に前記マットより硬質の保形板を添設したことを要旨とするものである。
請求項２に係わる本発明は、少なくとも釣り針保持部の裏面に網状部材を設けたことを要旨とするものである。
請求項３に係わる本発明は、保形板は、マットより左右の長さを小さく形成したことを要旨とするものである。
【発明の効果】
【０００８】
本発明の請求項１によると、本願の釣り針保持具はイカツノ投入器等の対象物に着脱が可能で、また、釣り針保持部は弛みが防止され広がった状態で取り付けられるため釣り針保持具に釣り針を係止しやすくなる。
本願の請求項２によると、対象物に取り付けたときに釣り針保持部の裏面の網状部材が滑り止めとなって移動を規制することができる。
本願の請求項３によると、保形板は、マットより左右の長さを小さく形成したため釣り針保持部を折り曲げてその大きさを対象物の取り付け面に近づけることができる。
【発明を実施するための最良の形態】
【０００９】
以下、本発明の実施形態を図面に基づき説明すると、図１から図６は本願の実施例で、図１は釣り針保持具の正面図、図２は釣り針保持具の背面図、図３は釣り針保持具の平面断面図、図４は釣り針保持具をイカヅノ投入器に取り付けた正面図、図５は釣り針保持具をイカヅノ投入器に取り付けた平面断面図、図６は釣り針保持具を折り畳んだイカヅノ投入器に取り付けた平面断面図である。
【００１０】
本願の釣り針保持具１は、図１のように、釣り針保持部２と止着ベルト３、４を有し、釣り針保持部２の表面にはイカヅノＩなどの釣り針等を保持可能なマット５が設けられている。
【００１１】
釣り針保持具１の釣り針保持部２と止着ベルト３、４は、正面の上下幅を広くして釣り針保持部２を形成し、その両側を釣り針保持部２より幅狭にして左右方向に延長した形状とした柔軟性を有する表側網状部材７と裏側網状部材８を重合して帯状のベースＢを形成し、釣り針保持部２の表面に釣り針保持部２と合致する形状の釣り針や釣り針を有する仕掛けを保持可能なマット５を取り付けている。
【００１２】
マット５は柔軟性を有する板状又はシート状部材で、合成樹脂繊維や天然繊維がランダムに絡み合って形成したシートまたはこれを加圧してフエルト状にした部材、スポンジ、ウレタン等の合成樹脂の発泡材、網状体などで、釣り針を刺し込んで係止して保持可能に形成されている。
【００１３】
図３のように、マット５の裏面側の表側網状部材７と裏側網状部材８（網状部材７、８）の間には保形板６が狭持され、釣り針保持部２の左右方向の中央側に位置するように配されている。
保形板６が配された位置の左右両側の表側網状部材７と裏側網状部材８は互いに止着されて保形板６の移動を規制している。
保形板６は、左右長さが釣り針保持部２及びマット５より短く形成されているため、保形板６が配されていない釣り針保持部２の左右両端側はマット５と共に折り曲げ可能になっている。
【００１４】
保形板６は合成樹脂、金属等の可撓性を有する板材で、マット５より硬質に形成されて曲がりにくく、マット５の裏面側に沿って添設されマット５の皺、歪みを防止し、釣り針保持部２およびマット５が正面側を向いて平面状を維持し、容易に釣り針が係止できるようになっている。
また、保形板６は通常の力では釣り針が刺さって貫通しにくく形成されているため、マット５に係止した釣り針が保形板６を貫通して釣り針保持具１を装着した対象物を傷つけることが防止できる。
【００１５】
図２のように、合成樹脂繊維等からなる表側網状部材７と裏側網状部材８を重合して形成した網状部材からなる帯状のベースＢは釣り針保持具１の裏面側に配されて、釣り針保持部２から止着ベルト３、４に及んで配されている。
したがって、釣り針保持具１を装着した対象物には、マット５を設けた釣り針保持部２の裏面側と止着ベルト３、４の裏側網状部材８が当接し釣り針保持具１の対象物に対する滑りを防ぎ不用意な移動を防止する。
【００１６】
ベースＢの表側網状部材７と裏側網状部材８の網状（格子状）を形成するそれぞれの線材は複数の繊維で構成された組紐状のため、その表面が繊維間で凹凸状に形成されて当接した対象物に対しより効果的に滑りを防止するようになっている。
さらに、表側網状部材７や裏側網状部材８の網状を形成する線材に合成樹脂またはゴム等の表面層を形成して更に滑りを防止できる。
また、ベースＢが伸縮性を有するように形成されると対象物への取付が容易になり、その伸縮性により対象物を締め付けるため更に移動が防止できる。
【００１７】
止着ベルト３、４は、図１のように釣り針保持具１を正面から見て釣り針保持部２の右側に延びる止着ベルト４と釣り針保持部２の左側に延びる止着ベルト３からなり、両者はそれぞれ互いに係合可能な係合部４ａ、係止部３ａを有している。
止着ベルト４の表面に設けた係合部４ａは雌の面ファスナからなり止着ベルト４に沿って釣り針保持部２側からその先端側まで形成されている。
止着ベルト３の裏面に設けた係止部３ａは雄の面ファスナからなり止着ベルト３の先端側に形成され、止着ベルト４の係合部４ａより左右方向に短く形成され、止着ベルト４の係合部４ａの適当位置を選択して止着（係合）できるようになっている。
【００１８】
釣り針保持部２には挿通孔を有する紐の挿通部９が設けられている。
紐の挿通部９は、釣り針保持部２の裏面の上方側に取り付けたループ状の紐で、釣り針保持部２の上方側に折り曲げて突出させることができる。
この紐の挿通部９に紐を通して釣り針保持具１を取り付けるイカヅノ投入器Ｔ等の対象物に縛り付けてより確実に取り付けることができ、また、紐を更に船縁等に縛ることでイカヅノ投入器Ｔ等の対象物の移動を規制できる。
なお、紐の挿通部９は、釣り針保持部２に孔を設けることで形成してもよい。
【００１９】
このように形成した釣り針保持具１をイカヅノ投入器Ｔ等の対象物に取り付ける時について説明すると、図４、図５のように釣り針保持部２のマット５を表側にしてイカヅノ投入器Ｔにその裏面側を当てて止着ベルト３、４を巻き付け、止着ベルト３の裏面に設けた係止部３ａを止着ベルト４の係合部４ａの適当位置に止着（係合）し、釣り針保持具１を緩みがないようにイカヅノ投入器Ｔの外周に巻回した状態で保持する。
必要に応じて紐の挿通部９に紐を通して釣り針保持具１を取り付けるイカヅノ投入器Ｔに縛り付ける。
【００２０】
この時、釣り針保持具１をイカヅノ投入器Ｔに取り付けたとき釣り針保持部２の左右両側に延びる止着ベルト３、４を巻回してそれぞれに設けた面ファスナからなる係止部３ａ、係合部４ａで適当位置で係合できるため止着が容易で、釣り針保持部２の裏面側と止着ベルト３、４の裏側網状部材８が当接しイカヅノ投入器Ｔに対する滑りを防ぎ不用意な移動を防止する。
【００２１】
イカヅノ投入器Ｔは、釣り針保持具１の釣り針保持部２が釣り人と向かい合うように船内側を向けて船縁に立て掛けて使用し、釣り人はイカヅノ投入器Ｔの複数のパイプＰに仕掛けの幹糸（省略）の途中に取り付けた複数のイカヅノＩをそれぞれ収納した状態から順序よくイカツノIが飛び出すようにして海中に仕掛けを投入する。
【００２２】
イカが掛かって仕掛けを引き上げたときに、順次引き上げたイカツノＩに掛かったイカを取り外し、図４のように、釣り針保持部２のマット５にイカツノＩの釣り針を係止する。
このように、順序よく複数のイカツノＩを係止して保持することで仕掛けの絡みを防止しながらイカの取り外し作業ができ、速やかにイカヅノ投入器Ｔの複数のパイプＰに仕掛けの複数のイカヅノＩを収納し、再度海中に仕掛けを投入することができる。
【００２３】
この時、釣り針保持部２およびマット５はその裏面側に沿って添設された保形板６によってマット５の皺、歪みを防止し、釣り針保持部２およびマット５が正面側を向いて平面状を維持し、容易に釣り針が係止でき、保形板６によってイカツノＩの釣り針がマット５に深く刺さっても保形板６を貫通しないためイカヅノ投入器ＴにイカツノＩの釣り針が達して傷付いたり、釣り針が破損することが防止される。
【００２４】
さらに、図６のように、パイプＰの配列を変えたり、イカヅノ投入器Ｔの形が変わったり、または、図示しないが、パイプＰの数が変わった場合でも、釣り針保持部２の左右両側に延びる止着ベルト３、４を巻回して面ファスナからなる係止部３ａ、係合部４ａで適宜位置で係合できるため容易に止着できる。
【００２５】
また、この時、イカヅノ投入器Ｔの釣り針保持部２の裏面側が当接する面の左右幅が釣り針保持部２より小さくても、保形板６は、左右長さが釣り針保持部２及びマット５より短く形成されているため、保形板６が配されていない釣り針保持部２の左右両端側をマット５と共にイカヅノ投入器Ｔの外周に沿って折り曲げて、釣り人と向かい合う面の釣り針保持部２のマット５を保形板６に合致した左右長さとして、さらにマット５の皺、歪みを防止し、釣り針保持部２およびマット５が正面側を向いて平面状を維持するためイカツノＩの釣り針を容易に係止できる。
【００２６】
なお、釣り針保持具１は釣り針保持部２の左右両側に釣り針保持部２と一体に形成されて延びる止着ベルト３、４を有しているが、釣り針保持部２の左右何れか一方に延びるように形成してもよく、釣り針保持部２と別体に形成してもよい。
また、止着ベルト３、４は、面ファスナからなる係止部３ａ、係合部４ａを有しているがスナップなど他の係止具を設けてもよい。
さらに、イカヅノ投入器Ｔ以外の対象物にも止着可能で、また、イカツノＩの釣り針以外の釣り針を係止することもできる。
【産業上の利用可能性】
【００２７】
本発明は、釣り針保持具全般に利用できる。
【図面の簡単な説明】
【００２８】
【図１】釣り針保持具の正面図である。
【図２】釣り針保持具の背面図である。
【図３】釣り針保持具の平面断面図である。
【図４】釣り針保持具をイカヅノ投入器に取り付けた正面図である。
【図５】釣り針保持具をイカヅノ投入器に取り付けた平面断面図である。
【図６】釣り針保持具を折り畳んだイカヅノ投入器に取り付けた平面断面図である。
【符号の説明】
【００２９】
１  釣り針保持具
２  釣り針保持部
３、４  止着ベルト
５  マット
６  保形板
７、８網状部材
【図１】
2010051223.tif 000003
【図２】
2010051223.tif 000004
【図３】
2010051223.tif 000005
【図４】
2010051223.tif 000006
【図５】
2010051223.tif 000007
【図６】
2010051223.tif 000008